(57)【要約】【課題】  窓木枠や壁等へのねじ止めを不要とすることができるとともに、工具が不要であり、短時間で設置でき、前後左右方向の位置調整が容易に行え、撤去後の補修等が不要であるアンテナユニットを得ることを目的とする。【解決手段】  無線信号を送受信するアンテナを有するアンテナ部１と、このアンテナ部１に設けられ、鉤状部を有する鉤状部材２とを備え、鉤状部は、第１突起部２ａ、この第１突起部２ａと離間して対向する第２突起部２ｂ及びこの第２突起部２ｂと第１突起部２ａとの間を連結する連結部２ｃを有し、この連結部２ｃの長さが、調節自在に構成されていることを特徴とする。【選択図】        図１
2006253793.tif 000002
【特許請求の範囲】
【請求項１】
無線信号を送受信するアンテナを有するアンテナ部と、
このアンテナ部に設けられ、鉤状部を有する鉤状部材とを備えたことを特徴とするアンテナユニット。
【請求項２】
鉤状部は、
第１突起部、この第１突起部と離間して対向する第２突起部及びこの第２突起部と前記第１突起部との間を連結する連結部を有し、
この連結部の長さが、調節自在に構成されていることを特徴とする請求項１記載のアンテナユニット。
【請求項３】
鉤状部材は、
鉤状部と、アンテナ部とを離間させる腕部を備えることを特徴とする請求項１記載のアンテナユニット。
【請求項４】
腕部は、
この腕部の長さが調節自在に構成されていることを特徴とする請求項３記載のアンテナユニット。
【請求項５】
鉤状部材は、
アンテナ部から延びる配線を保持する配線保持部を備えることを特徴とする請求項１記載のアンテナユニット。
【発明の詳細な説明】
【技術分野】
【０００１】
この発明は、屋外設置基地局との無線通信によりインターネット等のサービスを提供するアンテナユニット（アンテナ内蔵型屋内設置端末局）の屋内での設置方法に関するものである。
【背景技術】
【０００２】
従来のアンテナ内蔵型屋内設置端末局は、端末局本体が窓木枠や壁等にねじ止めされた取付金具に固定され、屋外設置基地局と無線通信を行っていた。
【特許文献１】特表２００４−５２３１６０号公報
【発明の開示】
【発明が解決しようとする課題】
【０００３】
従来のアンテナユニットは上記のように構成されているので、取付金具を窓木枠や壁等にねじ止めする必要があるため、工具が必要な上、設置作業に時間がかかり、一旦ねじ止めすると前後左右方向の位置調整ができない、アンテナユニットを撤去した場合にねじ穴跡を補修する必要があるなどの問題があった。
【０００４】
この発明は上記のような問題点を解消するためになされたもので、窓木枠や壁等へのねじ止めを不要とすることができるとともに、工具が不要であり、短時間で設置でき、前後左右方向の位置調整が容易に行え、撤去後の補修等が不要であるアンテナユニットを得ることを目的とする。
【課題を解決するための手段】
【０００５】
この発明に係るアンテナユニットは、無線信号を送受信するアンテナを有するアンテナ部と、このアンテナ部に設けられ、鉤状部を有する鉤状部材とを備えたことを特徴とする。
【発明の効果】
【０００６】
この発明に係るアンテナユニットは、上記構成により、窓木枠や壁等へのねじ止めを不要とすることができるとともに、工具が不要であり、短時間で設置でき、前後左右方向の位置調整が容易に行え、撤去後の補修等が不要であるアンテナユニットを得ることができる。
【発明を実施するための最良の形態】
【０００７】
実施の形態１．
図１は実施の形態１を示す図で、屋内設置端末局の構成図である。
図１において、無線信号を送受信するアンテナを有するアンテナ部１には、鉤状部を有する鉤状部材２とを備える。鉤状部材２は、鉤状部とアンテナ部１とを離間させる腕部２ｄにつまみねじ５により固定されている。鉤状部は、第１突起部２ａ、この第１突起部２ａと離間して対向する第２突起部２ｂ及びこの第２突起部２ｂと第１突起部２ａとの間を連結する連結部２ｃを有する。この連結部２ｃの長さが、調節自在に構成されている。
【０００８】
連結部２ｃは、例えば第１突起部２ａ側と、第２突起部２ｂ側とに分割し、一方に長穴を長さ調節方向に設け、つまみねじ４を用いて所望の長さに調節固定する。
【０００９】
アンテナ部１は、このような鉤状部材２により、例えば窓８の窓枠７に固定されたカーテンレール６に取付られている。カーテンレール６に限定されるものではない。
【００１０】
この実施の形態によれば、取付金具等を窓８の窓枠７や壁等にねじ止めあるいは接着することなくアンテナ部１を設置でき、窓８を通して屋外設置基地局等と通信を行うことができる。
【００１１】
作業者は、あらかじめアンテナ部１に鉤状部材２をつまみねじ５にて取付け、さらに連結部２ｃをつまみねじ４にて固定した状態で、例えばカーテンレール６にひっかけるだけであるため、工具が不要であり短時間で設置することができる。
【００１２】
さらに、つまみねじ４を緩めることによって、鉤状部材２をカーテンレール６の幅方向にスライドさせ、カーテンレール６の幅に合わせて調整することができるため、カーテンレール６の幅を１種類に限定することなく、鉤状部材２をカーテンレール６に押し付けて固定することができる。
【００１３】
また、つまみねじ５を緩めることによって、アンテナ部１は、つまみねじ５を軸とした回転方向に調整可能であるため、屋外設置基地局等の向きに合わせることができ、最適な無線感度が得られる。
【００１４】
尚、鉤状部材２の寸法をａ＞ｂ、ｃ＞ｄとすることで、鉤状部材２をカーテンレール６のレール間に下方向から通し、９０°回転させることにより、鉤状部材２をカーテンレール６にひっかけることができるため、カーテンレール６の長手方向のどの位置にも取り付けることができる。
ここで、
ａ：カーテンレール間の距離
ｂ：鉤状部材２の幅（カーテンレール長さ方向）
ｃ：カーテンレール下面とアンテナ部１上面間の距離
ｄ：第１突起部２ａ、第２突起部２ｂの下方への突出長さ
【００１５】
実施の形態２．
図２は実施の形態２を示す図で、屋内設置端末局を示す側面断面図である。
図２において、図１と異なる点は、鉤状部材２の複数箇所、例えば鉤状部材２の腕部２ｄ、第１突起部２ａにアンテナ部１の取付部２０ａ、取付部２０ｂが設けられている点である。図１では、鉤状部材２の連結部２ｃから下方に延びた腕部２ｄの端部にアンテナ部１の取付部が設けられている。
【００１６】
この実施の形態によれば、アンテナ部１を取付部２０ａまたは取付部２０ｂのどちらにも取付けることができるため、カーテンの開閉時にカーテンがひっかからない最適位置にアンテナ部１を取付けることができる。
【００１７】
尚、鉤状部材２を反転させることによりアンテナ部１を窓８に近接させることもできるため、室内側に障害物がある場合に干渉回避することができ、無線電波感度も向上させることができる。
【００１８】
実施の形態３．
図３は実施の形態３を示す図で、屋内設置端末局の部分構成図である。
図３において、図１と異なるのは、鉤状部材２のカーテンレール幅方向に、隙間調整ねじ３０ａ、隙間調整ねじ３０ｂが取付けられている点である。
【００１９】
この実施の形態によれば、隙間調整ねじ３０ａ、隙間調整ねじ３０ｂを回転させて、隙間調整ねじ３０ａと鉤状部材２、隙間調整ねじ３０ｂと鉤状部材２によりカーテンレール６を挟むことができるため、カーテンレール６が撓まずに強固に固定することができる。
【００２０】
これにより、鉤状部材２に、外力が加わった場合に、アンテナ部１の向きが変わることがないため、無線電波感度が悪化することを防止でき、落下防止の効果もある。
【００２１】
実施の形態４．
図４は実施の形態４を示す図で、屋内設置端末局の構成図である。
図４において、図１と異なるのは、アンテナ部１は、長穴を有する平板状の高さ調整金具４０およびＬ字状の角度調整金具４１を介して、鉤状部材２の腕部２ｄに取り付く構成となっている点である。つまみねじ４２ａにより高さ調整金具４０を鉤状部材２に取り付ける。つまみねじ４２ｂにより角度調整金具４１を高さ調整金具４０に取り付ける。つまみねじ４２ｃにより角度調整金具４１をアンテナ部１に取り付ける。
【００２２】
この実施の形態によれば、つまみねじ４２ａを緩め、高さ調整金具４０に沿ってアンテナ部１を上下にスライドさせることにより、高さ方向の位置調整ができるため、カーテンレール６の高さに応じて、アンテナ部１を最適な無線電波環境に配置することができる。
【００２３】
また、つまみねじ４２ｂおよびつまみねじ４２ｃを緩めることにより、アンテナ部１を回転させることができるため、屋外設置基地局の方向に応じて、アンテナ部１を最適な無線電波環境に配置することができる。
【００２４】
実施の形態５．
図５は実施の形態５を示す図で、屋内設置端末局の構成図である。
図５において、図１と異なるのは、鉤状部材２に、配線ケーブル（配線）５０を把持するクランプ（配線保持部）５１ａおよび５１ｂを設けた点である。
【００２５】
この実施の形態によれば、アンテナ部１の配線ケーブル５０をクランプ５１ａおよびクランプ５１ｂに把持することができるため、見栄えがよく、カーテンの開閉時にカーテンが配線ケーブル５０にひっかかることを防止できる。
【図面の簡単な説明】
【００２６】
【図１】実施の形態１を示す図で、屋内設置端末局の構成図である。
【図２】実施の形態２を示す図で、屋内設置端末局を示す側面断面図である。
【図３】実施の形態３を示す図で、屋内設置端末局の部分構成図である。
【図４】実施の形態４を示す図で、屋内設置端末局の構成図である。
【図５】実施の形態５を示す図で、屋内設置端末局の構成図である。
【符号の説明】
【００２７】
１  アンテナ部、２  鉤状部材、２ａ  第１突起部、２ｂ  第２突起部、２ｃ  連結部、２ｄ  腕部、４  つまみねじ、５  つまみねじ、６  カーテンレール、７  窓枠、８  窓、２０ａ  取付部、２０ｂ  取付部、３０ａ  隙間調整ねじ、３０ｂ  隙間調整ねじ、４０  高さ調整金具、４１  角度調整金具、４２ａ  つまみねじ、４２ｂ  つまみねじ、４２ｃ  つまみねじ、５０  配線ケーブル、５１ａ  クランプ、５１ｂ  クランプ。
【図１】
2006253793.tif 000003
【図２】
2006253793.tif 000004
【図３】
2006253793.tif 000005
【図４】
2006253793.tif 000006
【図５】
2006253793.tif 000007